(57)【要約】【課題】配線数の少ないパルス幅選択回路を提供する。【解決手段】Ｍ（Ｍは自然数。例えばＭ＝１５。）本の信号配線Ｗ１と、Ｍ本の信号配線Ｗ１によって供給されるＭ種類のパルス信号を用いてＮ（ＮはＭより大きい自然数。例えばＮ＝６４。）種類の制御データそれぞれに応じたＮ通りの論理演算を行い、前記Ｎ通りの論理演算の個々の論理演算においては前記Ｍ種類のパルス信号の一部のみを用いることによってＮ種類のそれぞれパルス幅が異なるパルス信号を作成することができる論理回路Ｌ１とを備え、論理回路Ｌ１が前記Ｎ種類の制御データのうちの一つの制御データ（画像データ１）を入力したときに、その一つの制御データに応じて論理回路Ｌ１が作成したパルス信号のパルス幅を選択するパルス幅選択回路。【選択図】図１１
2008145822.tif 000002
【特許請求の範囲】
【請求項１】
Ｍ（Ｍは自然数）本の信号配線と、
前記Ｍ本の信号配線によって供給されるＭ種類のパルス信号を用いてＮ（ＮはＭより大きい自然数）種類の制御データそれぞれに応じたＮ通りの論理演算を行い、前記Ｎ通りの論理演算の個々の論理演算においては前記Ｍ種類のパルス信号の一部のみを用いることによってＮ種類のそれぞれパルス幅が異なるパルス信号を作成することができる論理回路とを備え、
前記論理回路が前記Ｎ種類の制御データのうちの一つの制御データを入力したときに、その一つの制御データに応じて前記論理回路が作成したパルス信号のパルス幅を選択することを特徴とするパルス幅選択回路。
【請求項２】
Ｍ種類のパルス信号を生成するパルス信号生成回路と、
前記パルス信号生成回路から前記Ｍ種類のパルス信号が供給される請求項１に記載のパルス幅選択回路とを備え、
前記パルス幅選択回路によって選択されたパルス幅のパルス信号を出力することを特徴とするパルス信号出力回路。
【請求項３】
前記パルス信号生成回路が、前記パルス幅選択回路に設けられる論理回路によって生成可能な信号と同一のＮ種類のそれぞれパルス幅が異なるパルス信号を生成し、前記Ｎ種類のそれぞれパルス幅が異なるパルス信号から前記Ｍ種類のパルス信号を生成する請求項３に記載のパルス信号出力回路。
【請求項４】
２A-B（Ａは２以上の自然数、ＢはＡより小さい自然数）種類のパルス波形信号と（２B−１）種類の制御信号とを用いて、２A種類の制御データそれぞれに応じた２A通りの論理演算を行い、２A種類のそれぞれパルス幅が異なるパルス信号を作成することができる論理回路と、
前記２A-B種類のパルス波形信号及び前記（２B−１）種類の制御信号を前記論理回路に供給する（２A-B＋２B−１）本の信号配線とを備え、
前記制御信号それぞれが前記２A種類のそれぞれパルス幅が異なるパルス信号のいずれかと同一波形の信号であり、
前記論理回路が前記２A種類の制御データのうちの一つの制御データを入力したときに、その一つの制御データに応じて前記論理回路が作成したパルス信号のパルス幅を選択することを特徴とするパルス幅選択回路。
【請求項５】
２A-B種類のパルス波形信号及び（２B−１）種類の制御信号を生成するパルス信号生成回路と、
前記パルス信号生成回路から前記２A-B種類のパルス波形信号及び前記（２B−１）種類の制御信号が供給される請求項４に記載のパルス幅選択回路とを備え、
前記パルス幅選択回路によって選択されたパルス幅のパルス信号を出力することを特徴とするパルス信号出力回路。
【請求項６】
前記パルス信号生成回路が、前記パルス幅選択回路に設けられる論理回路によって生成可能な信号と同一の２A種類のそれぞれパルス幅が異なるパルス信号を生成し、前記２A種類のそれぞれパルス幅が異なるパルス信号から前記２A-B種類のパルス波形信号及び前記（２B−１）種類の制御信号を生成する請求項５に記載のパルス信号出力回路。
【請求項７】
請求項２、３、５、及び６のいずれか一つに記載のパルス信号出力回路を備え、パルス幅変調方式による階調表示を行うことを特徴とする表示装置。
【発明の詳細な説明】
【技術分野】
【０００１】
本発明は、パルス信号のパルス幅を選択するパルス幅選択回路並びにこれを備えるパルス信号出力回路及び表示装置に関するものである。
【背景技術】
【０００２】
従来のパルス幅選択回路は、２K種類のそれぞれパルス幅が異なるパルス信号の中から１種類のパルス信号を選択する回路であって、２K本の信号配線と、前記信号配線によって入力端子に供給される２K種類のパルス信号から制御端子に供給されるＫビットの符号データに応じたパルス幅のパルス信号を選択するセレクタとを備える。ただし、Ｋは自然数である。
【特許文献１】特開平５−３５２１８号公報（第５図）
【発明の開示】
【発明が解決しようとする課題】
【０００３】
上述した従来のパルス幅選択回路は、例えばパルス幅変調階調のＬＣＤ用セグメントドライバにおいて使用される。３９６セグメント６４階調のパルス幅変調階調のＬＣＤ用セグメントドライバにおいて使用される場合、従来のパルス幅選択回路が３９６個必要となるので、図１２に示すように、セレクタを３９６個配置し、各セレクタＳ１〜Ｓ３９６に６４種類のそれぞれパルス幅が異なるパルス信号を供給するために６４本の信号配線Ｗ２が必要となる。
【０００４】
従来のパルス幅選択回路では、パルス幅の選択肢数分の信号配線が必要であるため、配線領域の面積が大きくなっており、小型化や低コスト化の妨げになっていた。また、従来のパルス幅選択回路では、パルス幅の選択肢数が多くなるとセレクタの回路規模が大きくなるため、セレクタが配置されるゲート領域の面積が大きくなってしまっていた。
【０００５】
本発明は、上記の問題点に鑑み、信号配線数の少ないパルス幅選択回路並びにこれを備えるパルス信号出力回路及び表示装置を提供することを目的とする。
【課題を解決するための手段】
【０００６】
上記目的を達成するために、本発明に係るパルス幅選択回路は、Ｍ（Ｍは自然数）本の信号配線と、前記Ｍ本の信号配線によって供給されるＭ種類のパルス信号を用いてＮ（ＮはＭより大きい自然数）種類の制御データそれぞれに応じたＮ通りの論理演算を行い、前記Ｎ通りの論理演算の個々の論理演算においては前記Ｍ種類のパルス信号の一部のみを用いることによってＮ種類のそれぞれパルス幅が異なるパルス信号を作成することができる論理回路とを備え、前記論理回路が前記Ｎ種類の制御データのうちの一つの制御データを入力したときに、その一つの制御データに応じて前記論理回路が作成したパルス信号のパルス幅を選択する構成（第一の構成）とする。
【０００７】
このような構成によると、Ｍ種類のパルス信号を用いてＮ種類のそれぞれパルス幅が異なるパルス信号を作成することができるので、従来Ｎ本必要であった信号配線の本数をＭ本に減らすことができる。これにより、小型化や低コスト化を図ることができる。また、Ｍ種類のパルス信号を用いてＮ種類のそれぞれパルス幅が異なるパルス信号を作成することができる論理回路は、ＡＮＤゲート、ＯＲゲート、ＮＯＴゲートなどの小規模ゲートによって構成されるので、パルス幅の選択肢数が多くなってもパルス幅の選択肢数に対応するセレクタほど回路規模が大きくならない。
【０００８】
また、上記目的を達成するために、本発明に係るパルス信号出力回路は、Ｍ種類のパルス信号を生成するパルス信号生成回路と、前記パルス信号生成回路から前記Ｍ種類のパルス信号が供給される上記第一の構成のパルス幅選択回路とを備え、前記パルス幅選択回路によって選択されたパルス幅のパルス信号を出力する構成（第二の構成）とする。
【０００９】
上記第二の構成のパルス信号出力回路において、前記パルス信号生成回路が、前記パルス幅選択回路に設けられる論理回路によって生成可能な信号と同一のＮ種類のそれぞれパルス幅が異なるパルス信号を生成し、前記Ｎ種類のそれぞれパルス幅が異なるパルス信号から前記Ｍ種類のパルス信号を生成するようにしてもよい。
【００１０】
また、上記目的を達成するために、本発明に係るパルス幅選択回路は、２A-B（Ａは２以上の自然数、ＢはＡより小さい自然数）種類のパルス波形信号と（２B−１）種類の制御信号とを用いて、２A種類の制御データそれぞれに応じた２A通りの論理演算を行い、２A種類のそれぞれパルス幅が異なるパルス信号を作成することができる論理回路と、前記２A-B種類のパルス波形信号及び前記（２B−１）種類の制御信号を前記論理回路に供給する（２A-B＋２B−１）本の信号配線とを備え、前記制御信号それぞれが前記２A種類のそれぞれパルス幅が異なるパルス信号のいずれかと同一波形の信号であり、前記論理回路が前記２A種類の制御データのうちの一つの制御データを入力したときに、その一つの制御データに応じて前記論理回路が作成したパルス信号のパルス幅を選択する構成（第三の構成）とする。
【００１１】
このような構成によると、２A-B種類のパルス波形信号と（２B−１）種類の制御信号とを用いて２A種類のそれぞれパルス幅が異なるパルス信号を作成することができるので、従来２A本必要であった信号配線の本数を（２A-B＋２B−１）本に減らすことができる。これにより、小型化や低コスト化を図ることができる。また、２A-B種類のパルス波形信号と（２B−１）種類の制御信号とを用いて２A種類のそれぞれパルス幅が異なるパルス信号を作成することができる論理回路は、ＡＮＤゲート、ＯＲゲート、ＮＯＴゲートなどの小規模ゲートによって構成されるので、パルス幅の選択肢数が多くなってもパルス幅の選択肢数に対応するセレクタほど回路規模が大きくならない。
【００１２】
また、上記目的を達成するために、本発明に係るパルス信号出力回路は、２A-B種類のパルス波形信号及び（２B−１）種類の制御信号を生成するパルス信号生成回路と、前記パルス信号生成回路から前記２A-B種類のパルス波形信号及び前記（２B−１）種類の制御信号が供給される上記第三の構成のパルス幅選択回路とを備え、前記パルス幅選択回路によって選択されたパルス幅のパルス信号を出力する構成（第四の構成）とする。
【００１３】
上記第四の構成のパルス信号出力回路において、前記パルス信号生成回路が、前記パルス幅選択回路に設けられる論理回路によって生成可能な信号と同一の２A種類のそれぞれパルス幅が異なるパルス信号を生成し、前記２A種類のそれぞれパルス幅が異なるパルス信号から前記２A-B種類のパルス波形信号及び前記（２B−１）種類の制御信号を生成するようにしてもよい。
【００１４】
また、上記目的を達成するために、本発明に係る表示装置は、上記各構成のパルス信号出力回路を備え、パルス幅変調方式による階調表示を行う構成とする。
【発明の効果】
【００１５】
本発明によると、Ｍ（Ｍは自然数）種類のパルス信号を用いてＮ（ＮはＭより大きい自然数）種類のそれぞれパルス幅が異なるパルス信号を作成することができるので、従来Ｎ本必要であった信号配線の本数をＭ本に減らすことができる。これにより、小型化や低コスト化を図ることができる。
【００１６】
また、本発明によると、２A-B（Ａは２以上の自然数、ＢはＡより小さい自然数）種類のパルス波形信号と（２B−１）種類の制御信号とを用いて２A種類のそれぞれパルス幅が異なるパルス信号を作成することができるので、従来２A本必要であった信号配線の本数を（２A-B＋２B−１）本に減らすことができる。これにより、小型化や低コスト化を図ることができる。
【発明を実施するための最良の形態】
【００１７】
本発明の実施形態について図面を参照して以下に説明する。本発明に係るパルス幅選択回路の例として、パルス幅選択肢数が４個の場合、１６個の場合、６４個の場合について順に説明する。
【００１８】
まず、パルス幅選択肢数が４個である本発明に係るパルス幅選択回路の一例（以下、第一実施形態のパルス幅選択回路と称す）について説明する。第一実施形態のパルス幅選択回路は、３本の信号配線と、論理回路とを備えている。前記３本の信号配線によって３種類のパルス信号（図１に示す制御信号SIG_0、パルス波形信号SEG_WAV(0) 、SEG_WAV(1)）が前記論理回路に供給され、前記論理回路は、図２に示す２ビットの入力データに応じた論理式に基づいて論理演算を行い、図１に示す４種類のパルス信号Ｐ０〜Ｐ４のうちのいずれかを作成する。例えば、入力データが「００」で有る場合、前記論理回路はパルス信号Ｐ０を作成する。前記論理回路が２ビットの入力データに応じて作成したパルス信号のパルス幅が、第一実施形態のパルス幅選択回路の選択するパルス幅となる。
【００１９】
なお、図面においてパルス波形信号のエッジ部に付された数字は、どのパルス信号のエッジ部に同期しているかを示している。例えばパルス波形信号SEG_WAV(0)の立ち上がりエッジ部に付された０は、パルス信号SEG_WAV(0)の立ち上がりエッジ部がパルス信号Ｐ０のエッジ部に同期していることを示している。パルス信号のパルス幅とは、パルス信号のＨｉｇｈレベル区間の幅を意味している。パルス信号のＨｉｇｈレベル区間は零（オンデューティ０％）であっても構わない。またパルス信号のＬｏｗレベル区間は零（オンデューティ１００％）であっても構わない。これらのことは、後述する第二実施形態〜第五実施形態においても同様である。
【００２０】
第一実施形態のパルス幅選択回路は、４本の信号配線と、前記信号配線によって入力端子に供給される４種類のパルス信号から制御端子に供給される２ビットの符号データに応じたパルス幅のパルス信号を選択するセレクタとを備える従来のパルス幅選択回路と比べて、信号配線を１本削減することができる。しかしながら、４本の入力端子を有するセレクタの方が上記論理回路よりも回路規模が小さいため、第一実施形態のパルス幅選択回路では、パルス幅選択回路全体としての小型化及び低コスト化の効果が小さい。
【００２１】
次に、パルス幅選択肢数が１６個である本発明に係るパルス幅選択回路の一例（以下、第二実施形態のパルス幅選択回路と称す）を説明する。第二実施形態のパルス幅選択回路は、９本の信号配線と、論理回路とを備えている。前記９本の信号配線によって９種類のパルス信号（図３に示す制御信号SIG_0、パルス波形信号SEG_WAV(0) 、SEG_WAV(1) 、SEG_WAV(2) 、SEG_WAV(3) 、SEG_WAV(4) 、SEG_WAV(5) 、SEG_WAV(6) 、SEG_WAV(7)）が前記論理回路に供給され、前記論理回路は、図４に示す４ビットの入力データに応じた論理式に基づいて論理演算を行い、図３に示す１６種類のパルス信号Ｐ０〜Ｐ１５のうちのいずれかを作成する。例えば、入力データが「００００」で有る場合、前記論理回路はパルス信号Ｐ０を作成する。前記論理回路が４ビットの入力データに応じて作成したパルス信号のパルス幅が、第二実施形態のパルス幅選択回路の選択するパルス幅となる。
【００２２】
第二実施形態のパルス幅選択回路は、１６本の信号配線と、前記信号配線によって入力端子に供給される１６種類のパルス信号から制御端子に供給される４ビットの符号データに応じたパルス幅のパルス信号を選択するセレクタとを備える従来のパルス幅選択回路と比べて、信号配線を７本削減することができる。また、上記論理回路は、ＡＮＤゲート、ＯＲゲート、ＮＯＴゲートなどの小規模ゲートによって構成されるので、１６本の入力端子を有するセレクタほど回路規模が大きくならない。したがって、第二実施形態のパルス幅選択回路では、パルス幅選択回路全体としての小型化及び低コスト化の効果が大きい。
【００２３】
次に、パルス幅選択肢数が１６個である本発明に係るパルス幅選択回路の他の例（以下、第三実施形態のパルス幅選択回路と称す）を説明する。第三実施形態のパルス幅選択回路は、７本の信号配線と、論理回路とを備えている。前記７本の信号配線によって７種類のパルス信号（図５に示す制御信号SIG_0、SIG_1、SIG_1'、パルス波形信号SEG_WAV(0) 、SEG_WAV(1) 、SEG_WAV(2) 、SEG_WAV(3)）が前記論理回路に供給され、前記論理回路は、図６に示す４ビットの入力データに応じた論理式に基づいて論理演算を行い、図５に示す１６種類のパルス信号Ｐ０〜Ｐ１５のうちのいずれかを作成する。例えば、入力データが「００００」で有る場合、前記論理回路はパルス信号Ｐ０を作成する。前記論理回路が４ビットの入力データに応じて作成したパルス信号のパルス幅が、第三実施形態のパルス幅選択回路の選択するパルス幅となる。
【００２４】
第三実施形態のパルス幅選択回路は、１６本の信号配線と、前記信号配線によって入力端子に供給される１６種類のパルス信号から制御端子に供給される４ビットの符号データに応じたパルス幅のパルス信号を選択するセレクタとを備える従来のパルス幅選択回路と比べて、信号配線を９本削減することができる。また、上記論理回路は、ＡＮＤゲート、ＯＲゲート、ＮＯＴゲートなどの小規模ゲートによって構成されるので、１６本の入力端子を有するセレクタほど回路規模が大きくならない。したがって、第三実施形態のパルス幅選択回路では、パルス幅選択回路全体としての小型化及び低コスト化の効果が大きい。
【００２５】
次に、パルス幅選択肢数が１６個である本発明に係るパルス幅選択回路の更に他の例（以下、第四実施形態のパルス幅選択回路と称す）について説明する。第四実施形態のパルス幅選択回路は、９本の信号配線と、論理回路とを備えている。前記９本の信号配線によって９種類のパルス信号（図７に示す制御信号SIG_0、SIG_1、SIG_2、SIG_3、SIG_1' 、SIG_2' 、SIG_3'、パルス波形信号SEG_WAV(0) 、SEG_WAV(1)）が前記論理回路に供給され、前記論理回路は、図８に示す４ビットの入力データに応じた論理式に基づいて論理演算を行い、図７に示す１６種類のパルス信号Ｐ０〜Ｐ１５のうちのいずれかを作成する。例えば、入力データが「００００」で有る場合、前記論理回路はパルス信号Ｐ０を作成する。前記論理回路が４ビットの入力データに応じて作成したパルス信号のパルス幅が、第四実施形態のパルス幅選択回路の選択するパルス幅となる。
【００２６】
第四実施形態のパルス幅選択回路は、１６本の信号配線と、前記信号配線によって入力端子に供給される１６種類のパルス信号から制御端子に供給される４ビットの符号データに応じたパルス幅のパルス信号を選択するセレクタとを備える従来のパルス幅選択回路と比べて、信号配線を７本削減することができる。また、上記論理回路は、ＡＮＤゲート、ＯＲゲート、ＮＯＴゲートなどの小規模ゲートによって構成されるので、１６本の入力端子を有するセレクタほど回路規模が大きくならない。したがって、第四実施形態のパルス幅選択回路では、パルス幅選択回路全体としての小型化及び低コスト化の効果が大きい。
【００２７】
ここで、第二実施形態〜第四実施形態における制御信号、パルス波形信号、及びパルス信号の関係について説明する。制御信号SIG_0は、入力データの最上位ビットの切り替わりに対応するパルス信号Ｐ８と同一である。第二実施形態では、入力データの最上位ビットの切り替わり直前に対応するパルス信号Ｐ７迄の各パルス信号Ｐ０〜Ｐ７のエッジ情報を各パルス波形信号に順に一つずつ含ませるために、パルス波形信号を８個用意している。そして、入力データの最上位ビットの切り替わりで折り返して、入力データの最上位ビットの切り替わりに対応するパルス信号Ｐ８以降の各パルス信号Ｐ８〜Ｐ１５のエッジ情報も各パルス波形信号に順に一つずつ含ませている。同様に、第三実施形態では、入力データの第二位ビットの切り替わりで折り返して、各パルス信号のエッジ情報を各パルス波形信号に順に一つずつ含ませており、第四実施形態では、入力データの第三位ビットの切り替わりで折り返して、各パルス信号のエッジ情報を各パルス波形信号に順に一つずつ含ませている。このため、パルス信号の数を２A個とし、制御信号の数を（２B−１）個とすると、入力データの第Ｂ位ビットの切り替わり迄のパルス信号の数が２A／２B個になるので、必要なパルス波形信号の数は２A-B個になる。ただし、Ａは２以上の自然数であり、ＢはＡより小さい自然数である。なお、この関係は第二〜第四実施形態のみならず、上述した第一実施形態や後述する第五実施形態についても当てはまる。
【００２８】
次に、パルス幅選択肢数が６４個である本発明に係るパルス幅選択回路の一例（以下、第五実施形態のパルス幅選択回路と称す）を説明する。第五実施形態のパルス幅選択回路は、１５本の信号配線と、論理回路とを備えている。前記１５本の信号配線によって１５種類のパルス信号（図９Ａ〜図９Ｄに示す制御信号SIG_0、SIG_1、SIG_2、SIG_3、SIG_1'、SIG_2'、SIG_3'、パルス波形信号SEG_WAV(0) 、SEG_WAV(1) 、SEG_WAV(2) 、SEG_WAV(3) 、SEG_WAV(4) 、SEG_WAV(5) 、SEG_WAV(6) 、SEG_WAV(7)）が前記論理回路に供給され、前記論理回路は、図１０Ａ及び図１０Ｂに示す６ビットの入力データに応じた論理式に基づいて論理演算を行い、図９Ａ〜図９Ｄに示す６４種類のパルス信号Ｐ０〜Ｐ６３のうちのいずれかを作成する。例えば、入力データが「００００００」で有る場合、前記論理回路はパルス信号Ｐ０を作成する。前記論理回路が６ビットの入力データに応じて作成したパルス信号のパルス幅が、第五実施形態のパルス幅選択回路の選択するパルス幅となる。
【００２９】
第五実施形態のパルス幅選択回路は、６４本の信号配線と、前記信号配線によって入力端子に供給される６４種類のパルス信号から制御端子に供給される６ビットの符号データに応じたパルス幅のパルス信号を選択するセレクタとを備える従来のパルス幅選択回路と比べて、パルス信号配線を４９本削減することができる。また、上記論理回路は、ＡＮＤゲート、ＯＲゲート、ＮＯＴゲートなどの小規模ゲートによって構成されるので、６４本の入力端子を有するセレクタよりも回路規模が小さく、およそ１／３の回路規模になる。したがって、第五実施形態のパルス幅選択回路では、パルス幅選択回路全体としての小型化及び低コスト化の効果が非常に大きい。
【００３０】
上述した第五実施形態のパルス幅選択回路は、例えば３９６セグメント６４階調のパルス幅変調階調のＬＣＤ用セグメントドライバにおいて使用される。第五実施形態のパルス幅選択回路を用いた３９６セグメント６４階調のパルス幅変調階調のＬＣＤ用セグメントドライバを備えたＬＣＤは、前記ＬＣＤ用セグメントドライバから出力されるセグメント信号に基づいてパルス幅変調方式による階調表示を行う。
【００３１】
ここで、第五実施形態のパルス幅選択回路を用いた３９６セグメント６４階調のパルス幅変調階調のＬＣＤ用セグメントドライバの要部構成例を図１１に示す。
【００３２】
図１１に示すセグメントドライバは、１５種類のパルス信号（図９Ａ〜図９Ｄに示す制御信号SIG_0、SIG_1、SIG_2、SIG_3、SIG_1'、SIG_2'、SIG_3'、パルス波形信号SEG_WAV(0) 、SEG_WAV(1) 、SEG_WAV(2) 、SEG_WAV(3) 、SEG_WAV(4) 、SEG_WAV(5) 、SEG_WAV(6) 、SEG_WAV(7)）を生成するパルス信号生成回路１００を備える。
【００３３】
また、図１１に示すセグメントドライバは、論理回路Ｌ１〜Ｌ３９６と、パルス信号生成回路１００によって生成された１５種類のパルス信号を論理回路Ｌ１〜Ｌ３９６に供給する１５本の信号配線Ｗ１とからなる３９６個の第五実施形態のパルス幅選択回路を備える。なお、図１１に示すセグメントドライバがＲＧＢ用である場合には、３９６個の第五実施形態のパルス幅選択回路が３組必要になる。
【００３４】
パルス信号生成回路１００では、パルス信号生成部１００Ａがクロック信号に基づいて図９Ａ〜図９Ｄに示すパルス信号Ｐ０〜Ｐ６３を生成し、論理部１００Ｂがそのパルス信号Ｐ０〜Ｐ６３を用いて論理演算を行って１５種類のパルス信号（図９Ａ〜図９Ｄに示す制御信号SIG_0、SIG_1、SIG_2、SIG_3、SIG_1'、SIG_2'、SIG_3'、パルス波形信号SEG_WAV(0) 、SEG_WAV(1) 、SEG_WAV(2) 、SEG_WAV(3) 、SEG_WAV(4) 、SEG_WAV(5) 、SEG_WAV(6) 、SEG_WAV(7)）を生成する。なお、図９Ａ〜図９Ｄに示した信号波形は、ＬＣＤの１ライン分の波形を表しており、実際には図９Ａ〜図９Ｄに示した信号波形が繰り返される。また、図９Ａ〜図９Ｄに示した信号波形の繰り返し周期は、前記クロック信号の所定のサイクル数（例えば、２５６サイクルや５１２サイクル）に一致している。したがって、前記クロック信号の所定のサイクル数の設定を変えることで、図９Ａ〜図９Ｄに示した信号波形の繰り返し周期の設定を変えることができる。
【００３５】
また、図９Ａ〜図９Ｄに示すパルス信号Ｐ０〜Ｐ６３では、パルス信号Ｐｎ（ｎは０以上６２以下の整数）からパルス信号Ｐ（ｎ＋１）へのパルス幅の増加量が一定であるが、本発明はこれに限定されることはなく、例えばγ補正に対応するパルス幅の増加量にしてもよい。
【図面の簡単な説明】
【００３６】
【図１】は、第一実施形態のパルス幅選択回路の入出力信号波形を示す図である。
【図２】は、第一実施形態のパルス幅選択回路に設けられる論理回路の論理演算内容を示す図である。
【図３】は、第二実施形態のパルス幅選択回路の入出力信号波形を示す図である。
【図４】は、第二実施形態のパルス幅選択回路に設けられる論理回路の論理演算内容を示す図である。
【図５】は、第三実施形態のパルス幅選択回路の入出力信号波形を示す図である。
【図６】は、第三実施形態のパルス幅選択回路に設けられる論理回路の論理演算内容を示す図である。
【図７】は、第四実施形態のパルス幅選択回路の入出力信号波形を示す図である。
【図８】は、第四実施形態のパルス幅選択回路に設けられる論理回路の論理演算内容を示す図である。
【図９Ａ】は、第五実施形態のパルス幅選択回路の入出力信号波形を示す図である。
【図９Ｂ】は、第五実施形態のパルス幅選択回路の入出力信号波形を示す図である。
【図９Ｃ】は、第五実施形態のパルス幅選択回路の入出力信号波形を示す図である。
【図９Ｄ】は、第五実施形態のパルス幅選択回路の入出力信号波形を示す図である。
【図１０Ａ】は、第五実施形態のパルス幅選択回路に設けられる論理回路の論理演算内容を示す図である。
【図１０Ｂ】は、第五実施形態のパルス幅選択回路に設けられる論理回路の論理演算内容を示す図である。
【図１１】は、第五実施形態のパルス幅選択回路を用いたＬＣＤ用セグメントドライバの要部構成例を示す図である。
【図１２】は、従来のパルス幅選択回路を用いたＬＣＤ用セグメントドライバの要部構成例を示す図である。
【符号の説明】
【００３７】
１００    パルス信号生成回路
１００Ａ    パルス信号生成部
１００Ｂ    論理部
Ｌ１〜Ｌ３９６    論理回路
Ｗ１    信号配線
【図１】
2008145822.tif 000003
【図２】
2008145822.tif 000004
【図３】
2008145822.tif 000005
【図４】
2008145822.tif 000006
【図５】
2008145822.tif 000007
【図６】
2008145822.tif 000008
【図７】
2008145822.tif 000009
【図８】
2008145822.tif 000010
【図９Ａ】
2008145822.tif 000011
【図９Ｂ】
2008145822.tif 000012
【図９Ｃ】
2008145822.tif 000013
【図９Ｄ】
2008145822.tif 000014
【図１０Ａ】
2008145822.tif 000015
【図１０Ｂ】
2008145822.tif 000016
【図１１】
2008145822.tif 000017
【図１２】
2008145822.tif 000018